(57)【要約】  キャビネット用フレームが提供される。フレームは、左右梁、左右梁に連結された前後梁、および左右梁に連結された垂直支柱を含む。前後梁は、垂直支柱に対してはめ込まれて、ケーブル配線領域をフレームの側部に沿って形成する。
2015521805.tif 000002
【特許請求の範囲】
【請求項１】
キャビネット用フレームであって、
左右梁と、
前記左右梁に連結された前後梁と、
前記左右梁に連結された垂直支柱と
を備え、
前記前後梁は、前記垂直支柱に対してはめ込まれて、ケーブル配線領域を前記フレームの側部に沿って形成する、
フレーム。
【請求項２】
前記垂直支柱は、前記左右梁に取外し可能に連結される、請求項１に記載のフレーム。
【請求項３】
前記前後梁は、前記左右梁および前記垂直支柱の交点に対してはめ込まれる、請求項１に記載のフレーム。
【請求項４】
前記前後梁は、前記左右梁に垂直であり、前記垂直支柱は、前記前後梁および前記左右梁に垂直である、請求項１に記載のフレーム。
【請求項５】
前記左右梁は、ケーブル配線開口を含む、請求項１に記載のフレーム。
【請求項６】
前記左右梁に取外し可能に連結され、前記ケーブル配線開口に位置合わせされたカバープレートをさらに備える、請求項５に記載のフレーム。
【請求項７】
前記ケーブル配線開口内に配置されたモジュラージャックをさらに備える、請求項５に記載のフレーム。
【請求項８】
前記ケーブル配線開口内に配置されたセンサをさらに備える、請求項５に記載のフレーム。
【請求項９】
前記左右梁および前記垂直支柱に取外し可能に連結されたフェースプレートをさらに備える、請求項１に記載のフレーム。
【請求項１０】
前記フェースプレートは、前記左右梁内のケーブル配線開口に位置合わせされたフェースプレート開口を含む、請求項９に記載のフレーム。
【請求項１１】
前記フェースプレートに取外し可能に連結され、前記フェースプレート開口に位置合わせされたカバープレートをさらに備える、請求項１０に記載のフレーム。
【請求項１２】
前記前後梁に取外し可能に連結された機器レールをさらに備える、請求項１に記載のフレーム。
【請求項１３】
前記機器レールに取外し可能に連結された付属品ブラケット、および前記付属品ブラケットに取外し可能に連結された少なくとも１つの付属品をさらに備える、請求項１２に記載のフレーム。
【請求項１４】
前記付属品は、パッチパネルカセットを含む、請求項１３に記載のフレーム。
【請求項１５】
前記付属品は、ケーブル管理フィンガーを含む、請求項１３に記載のフレーム。
【請求項１６】
前記機器レールおよび前記垂直支柱に取外し可能に連結された垂直ブランクパネルをさらに備える、請求項１２に記載のフレーム。
【請求項１７】
前記前後梁、前記左右梁、および前記垂直支柱の少なくとも１つに取外し可能に連結されたトップキャップをさらに備え、前記トップキャップは、前記ケーブル配線領域に位置合わせされた少なくとも１つのケーブル配線開口を含む、請求項１に記載のフレーム。
【請求項１８】
前記トップキャップおよび前記垂直支柱に回転可能に連結されたサイドパネルをさらに備える、請求項１７に記載のフレーム。
【請求項１９】
前記左右梁に連結されたキャスターをさらに備える、請求項１に記載のフレーム。
【請求項２０】
前記左右梁に連結された水平脚をさらに備える、請求項１に記載のフレーム。
【発明の詳細な説明】
【技術分野】
【０００１】
本発明は、サーバキャビネットに関し、より詳細には、はめ込み式前後梁および取外し可能な垂直支柱を有するサーバキャビネットに関する。
【背景技術】
【０００２】
サーバキャビネットは当技術分野においては周知である。例えば、Ａｍｅｒｉｃａｎ  Ｐｏｗｅｒ  Ｃｏｎｖｅｒｓｉｏｎ  Ｃｏｒｐｏｒａｔｉｏｎ（米国ロードアイランド州Ｗｅｓｔ  Ｋｉｎｇｓｔｏｎ）に付与された、米国特許第７，２９３，６６６号は、サーバキャビネットを開示している。しかし、該サーバキャビネットは、はめ込み式前後梁および取外し可能な垂直支柱を有さない。
【発明の概要】
【発明が解決しようとする課題】
【０００３】
したがって、はめ込み式前後梁および取外し可能な垂直支柱を有するサーバキャビネットが必要とされている。
【課題を解決するための手段】
【０００４】
キャビネット用フレームが提供される。フレームは、左右梁、左右梁に連結された前後梁、および左右梁に連結された垂直支柱を含む。前後梁は、垂直支柱に対してはめ込まれて、ケーブル配線領域をフレームの側部に沿って形成する。
【図面の簡単な説明】
【０００５】
【図１】本発明の一実施形態による、サーバキャビネットの頂面正面斜視図である。
【図２】開位置におけるフロントドア、バックドア、およびサイドパネルを示す、図１のサーバキャビネットの頂面正面斜視図である。
【図３】図１のサーバキャビネットの分解頂面正面斜視図である。
【図４】図３のキャビネットフレームの頂面正面斜視図である。
【図５】図４のキャビネットフレームの分解頂面正面斜視図である。
【図６】図５の細部６の拡大頂面正面斜視図である。
【図７】図５の細部７の拡大頂面正面斜視図である。
【図８】図５の底部フレームの拡大底面正面斜視図である。
【図９】図８の細部９の拡大底面正面斜視図である。
【図１０】図８の細部１０の拡大底面正面斜視図である。
【図１１】図４のキャビネットフレームの頂面図である。
【図１２】図１１の細部１２の拡大頂面図である。
【図１３】図１１のキャビネットフレームの幅（例えば、６００ｍｍ）より大きい幅（例えば、７００ｍｍ）を有する、キャビネットフレームの頂面図である。
【図１４】図１３の細部１４の拡大頂面図である。
【図１５】図１３のキャビネットフレームの幅（例えば、７００ｍｍ）より大きい幅（例えば、８００ｍｍ）を有する、キャビネットフレームの頂面図である。
【図１６】図１５の細部１６の拡大頂面図である。
【図１７】設置された機器レールを示す、図４のキャビネットフレームの頂面正面斜視図である。
【図１８】図１７の細部１８の拡大頂面正面斜視図である。
【図１９】図１９の分解頂面正面斜視図である。
【図２０】図１７のキャビネットフレームの側面図である。
【図２１】図２０の細部２１の側面図である。
【図２２】機器レール上に設置されたパッチパネルカセットを示す、図１７のキャビネットフレームの頂面背面斜視図である。
【図２３】図２２の細部２３の拡大頂面背面斜視図である。
【図２４】図２３の部分分解頂面背面斜視図である。
【図２５】機器レール上に設置されたケーブル管理フィンガーを示す、図１７のキャビネットフレームの頂面背面斜視図である。
【図２６】図２５の細部２６の拡大頂面背面斜視図である。
【図２７】図２６の部分分解頂面背面斜視図である。
【図２８】機器レール上に設置された垂直ブランクパネルを示す、図１７のキャビネットフレームの頂面背面斜視図である。
【図２９】図２８の細部２９の拡大頂面背面斜視図である。
【図３０】図２９の部分分解頂面背面斜視図である。
【図３１】図３０の部分分解頂面背面斜視図である。
【図３２】設置され、閉位置におけるフロントドアを示す、図４のキャビネットフレームの頂面正面斜視図である。
【図３３】図３２の細部３３の拡大頂面正面斜視図である。
【図３４】開位置におけるフロントドアを示す、図３２のキャビネットフレームの頂面正面斜視図である。
【図３５】図３４の細部３５の拡大頂面正面斜視図である。
【図３６】図３４の細部３６の拡大頂面正面斜視図である。
【図３７】図３４の細部３７の拡大頂面正面斜視図である。
【図３８】設置され、閉位置におけるバックドアを示す、図４のキャビネットフレームの頂面背面斜視図である。
【図３９】図３８の細部３９の拡大頂面背面斜視図である。
【図４０】開位置におけるバックドアを示す、図３８のキャビネットフレームの頂面背面斜視図である。
【図４１】図４０の細部４１の拡大頂面背面斜視図である。
【図４２】図４０の細部４２の拡大頂面背面斜視図である。
【図４３】図４０の細部４３の拡大頂面背面斜視図である。
【図４４】設置され、閉位置におけるサイドドアを示す、図４のキャビネットフレームの頂面正面斜視図である。
【図４５】図４４の細部４５の拡大頂面正面斜視図である。
【図４６】開位置におけるサイドドアを示す、図４４のキャビネットフレームの頂面正面斜視図である。
【図４７】図４６の細部４７の拡大頂面正面斜視図である。
【図４８】図４６の細部４８の拡大頂面正面斜視図である。
【図４９】図４６の細部４９の拡大頂面正面斜視図である。
【図５０】開位置におけるサイドドアを示す、図４４のキャビネットフレームの頂面背面斜視図である。
【図５１】図５０の細部５１の拡大頂面背面斜視図である。
【図５２】図５０の細部５２の拡大頂面背面斜視図である。
【図５３】設置されたトップキャップを示す、図４のキャビネットフレームの頂面正面斜視図である。
【図５４】図５３の細部５４の拡大頂面正面斜視図である。
【図５５】図５４の部分分解頂面正面斜視図である。
【図５６】隠線内のトップキャップの下のキャビネットフレームを示す、図５３のトップキャップの頂面図である。
【図５７】図５６の細部５７の拡大頂面図である。
【図５８】隠線内のトップキャップの下のより広いキャビネットフレーム、および一部または完全に取り除かれたグロメットの一部を示す、図５３のキャビネットフレームの幅（例えば、６００ｍｍ）より大きい幅（例えば、７００ｍｍ）を有する、キャビネットフレームのためのトップキャップの頂面図である。
【図５９】図５８の細部５９の拡大頂面図である。
【図６０】隠線内のトップキャップの下のより広いキャビネットフレーム、および一部または完全に取り除かれたグロメットの一部を示す、図５８のキャビネットフレームの幅（例えば、６００ｍｍ）より大きい幅（例えば、８００ｍｍ）を有する、キャビネットフレームのためのトップキャップの頂面図である。
【図６１】図６０の細部６１の拡大頂面図である。
【発明を実施するための形態】
【０００６】
図１〜３に示されたように、サーバキャビネット１００は、キャビネットフレーム２００（図４〜１６）、機器レール３００Ａ、３００Ｂ（図１７〜３１）、フロントドア４００（図３２〜３７）、バックドア５００（図３８〜４３）、サイドドア６００（図４４〜５２）、およびトップキャップ７００（図５３〜６１）を含む。
【０００７】
図４に示されたように、キャビネットフレーム２００は、前後梁２１０、頂部および底部の左右梁２２０Ａ、２２０Ｂ、垂直支柱２３０、ならびにフェースプレート２４０を含む。
【０００８】
図５に示されたように、前後梁２１０と頂部左右梁２２０Ａが連結されて、頂部フレーム２５０Ａを形成する。同様に、前後梁２１０と底部左右梁２２０Ｂが連結されて、底部フレーム２５０Ｂを形成する。好ましくは、前後梁２１０は、例えば、リベットおよび溶接などの永久連結具を使用して、左右梁２２０Ａ、２２０Ｂに永久的に連結されるが、前後梁２１０は、例えば、ナットおよびボルトおよびネジなどの取外し可能な連結具を使用して、左右梁２２０Ａ、２２０Ｂに取外し可能に連結されることも同様に企図される。
【０００９】
図６および７に示されたように、垂直支柱２３０は、頂部および底部フレーム２５０Ａ、２５０Ｂに、より具体的には、左右梁２２０Ａ、２２０Ｂに連結されて、キャビネットフレーム２００を形成する。好ましくは、垂直支柱２３０は、例えば、ナットおよびボルトおよびネジなどの取外し可能な連結具を使用して、左右梁２２０Ａ、２２０Ｂに取外し可能に連結されるが、垂直支柱２３０は、例えば、リベットおよび溶接などの永久連結具を使用して、左右梁２２０Ａ、２２０Ｂに永久的に連結されることも同様に企図される。カバープレート２３２は、例えば、ナットおよびボルトおよびネジなどの取外し可能な連結具を使用して、垂直支柱２３０に取外し可能に連結され、取り外されたときは、キャビネットフレーム組立体開口２３４へのアクセスを提供する。加えて、設置されたときは、カバープレート２３２は、複数のキャビネットをまとめるためのスタンドオフとして作用する。
【００１０】
加えて、フェースプレート２４０は、例えば、ナットおよびボルトおよびネジなどの取外し可能な連結具を使用して、左右梁２２０Ａ、２２０Ｂおよび垂直支柱２３０に取外し可能に連結されるが、フェースプレート２４０は、例えば、リベットおよび溶接などの永久連結具を使用して、左右梁２２０Ａ、２２０Ｂに永久的に連結されることも同様に企図される。好ましくは、フェースプレート２４０は、キャビネットフレーム２００に、より具体的には、左右梁２２０Ａ、２２０Ｂおよび垂直支柱２３０にさらなる剛性を提供する。カバープレート２４２は、例えば、ナットおよびボルトおよびネジなどの取外し可能な連結具を使用して、フェースプレート２４０に、最終的には左右梁２２０Ａに取外し可能に連結され、取り外されたときは、ケーブル配線開口２２４、２４４へのアクセスを提供する。
【００１１】
好ましくは、頂部および底部フレーム２５０Ａ、２５０Ｂは、例えば工場で、サーバキャビネット１００を出荷前に組み立てられる。しかし、垂直支柱２３０およびフェースプレート２４０、ならびに機器レール３００、フロントドア４００、バックドア５００、サイドドア６００、およびトップキャップ７００は、例えば、データセンターまたはデータセンター付近に配置された遠隔組立設備で、サーバキャビネット１００を出荷後に組み立てられてもよく、これにより出荷量が低減し、したがって組立時間に著しい影響を与えることなく、サーバキャビネット１００の出荷コストが低減する。
【００１２】
図８〜１０に示されたように、フロントおよびバックキャスター２６０Ａ、２６０Ｂ、ならびに水平脚２７０は底部フレーム２５０Ｂに、より具体的には、底部左右梁２２０Ｂに連結される。好ましくは、バックキャスター２６０Ｂおよび水平脚２７０は、底部フレーム２５０Ｂに、より具体的には、底部左右梁２２０Ｂに回転可能に連結されて、サーバキャビネット１００の位置付けおよび水平化を支援するが、フロントキャスター２６０Ａは、単体でまたはバックキャスター２６０Ｂと組み合わせて、底部フレーム２５０Ｂに、より具体的には、底部左右梁２２０Ｂに回転可能に連結されて、サーバキャビネット１００の位置付けをさらに支援することが同様に企図される。
【００１３】
図１１および１２に示されたように、前後梁２１０は、垂直支柱２３０に対して、より具体的には、左右梁２２０Ａ、２２０Ｂと垂直支柱２３０の交点に対してはめ込まれて、例えば、機器レール３００Ａ、３００Ｂによって画定されたような機器取付領域２９０とサイドドア６００のサイドドアパネル６１０Ａ、６１０Ｂとの間に、キャビネットフレーム２００の側部に沿ってケーブル配線領域２８０を形成する。
【００１４】
サーバキャビネット１００の幅が、例えば６００ｍｍ（図１１および１２）から７００ｍｍ（図１３および１４）および８００ｍｍ（図１５および１６）に増加されるにつれて、ケーブル配線領域２８０の幅は増加されるが、機器取付領域２９０の幅は同じままである。
【００１５】
図１７〜１９および２８〜３１に示されたように、機器レール３００Ａ、３００Ｂは、キャビネットフレーム２００に、より具体的には、頂部および底部フレーム２５０Ａ、２５０Ｂの前後梁２１０に連結される。好ましくは、機器レール３００Ａ、３００Ｂは調節可能である。すなわち、機器レール３００Ａ、３００Ｂは、例えば、ナットおよびボルトおよびネジなどの取外し可能な連結具を使用して、キャビネットフレーム２００に、より具体的には、頂部および底部フレーム２５０Ａ、２５０Ｂの前後梁２１０に、取外し可能に連結される。
【００１６】
例えば、図１９および３１に示されたように、機器レール３００Ａ、３００Ｂは、チャネルナット３１０および取付ボルト３２０を含む。チャネルナット３１０は、前後梁２１０内の頂部開口２１２を通ってチャネルナット３１０を位置付けし、チャネルナット３１０を前後梁２１０内の側部開口２１４に位置合わせするために、タブ３１２を含む。加えて、チャネルナット３１０は、チャネルナット３１０を前後梁２１０に固定し、機器レール３００をキャビネットフレーム２００に敷くために、バーブ３１４を含む。
【００１７】
図２０および２１に示されたように、チャネルナット３１０および取付ボルト３２０が係合されて締まっているときは、機器レール３００Ａ、３００Ｂは前後梁２１０に固定される。しかしチャネルナット３１０および取付ボルト３２０が係合されているが緩んでいるときは、機器レール３００Ａ、３００Ｂは前後梁２１０内の細長い開口２１４に沿って摺動し、機器レール３００Ａ、３００Ｂを前後梁２１０内の細長い開口２１４に沿ってあらゆる数の場所に位置付けすることができる。
【００１８】
機器レール３００Ａ、３００Ｂの場所に依存して、追加のケーブル配線領域２８０が、例えば、サーバキャビネット１００の正面、およびサーバキャビネット１００の背面に提供され得る。
【００１９】
加えて、図１９および３１に示されたように、機器レール３００Ａ、３００Ｂはスティフナ３３０を含み、スティフナ３３０は、例えば、ナットおよびボルトおよびネジなどの取外し可能な連結具を使用して、機器レール３００Ａ、３００Ｂに取外し可能に連結されるが、スティフナ３３０は、例えば、リベットおよび溶接などの永久連結具を使用して、機器レール３００Ａ、３００Ｂに永久的に連結されることも同様に企図される。別法として、機器レール３００Ａ、３００Ｂおよびスティフナ３３０は一体形成される。
【００２０】
図２２〜２７に示されたように、機器レール３００Ｂは、サーバ、パッチパネル、およびスイッチなどの電子装置をサーバキャビネット１００内に取り付けるために取付開口３４０を含み、パッチパネルカセット３５２およびケーブル管理フィンガー３６２などの付属品をサーバキャビネット１００内に、より具体的には、サーバキャビネット１００のケーブル配線領域２８０内に取り付けるために、パッチパネルカセット取付ブラケット３５０およびケーブル管理フィンガー取付ブラケット３６０などの、付属品取付ブラケットを受領するように構成される。
【００２１】
例えば、図２２〜２４に示されたように、機器レール３００Ｂは、パッチパネルカセット３５２を機器レール３００Ｂに取り付けるために、パッチパネルカセット取付ブラケット３５０を含む。図２４に示されたように、パッチパネルカセット取付ブラケット３５０は、例えば、ナットおよびボルトおよびネジなどの取外し可能な連結具を使用して、機器レール３００Ｂに取外し可能に連結されるが、パッチパネルカセット取付ブラケット３５０は、例えば、リベットおよび溶接などの永久連結具を使用して、機器レール３００Ｂに永久的に連結されることも同様に企図される。別法として、機器レール３００Ｂおよびパッチパネルカセット取付ブラケット３５０は一体形成される。パッチパネルカセット３５２は、パッチパネルカセット筐体３５４の中にスナップ嵌合し、パッチパネルカセット筐体３５４は、次いでパッチパネルカセット取付ブラケット３５０の中にスナップ嵌合する。したがって、パッチパネルカセット筐体３５４は、パッチパネルカセット取付ブラケット３５０から速やかに容易に取り外され、パッチパネルカセット３５０へのより良好なアクセスを提供する。
【００２２】
別法として、図２５〜２７に示されたように、機器レール３００Ｂは、ケーブル管理フィンガー３６２を機器レール３００Ｂに取り付けるために、ケーブル管理フィンガー取付ブラケット３６０を含む。図２７に示されたように、ケーブル管理フィンガー取付ブラケット３６０は、例えば、ナットおよびボルトおよびネジなどの取外し可能な連結具を使用して、機器レール３００Ｂに取外し可能に連結されるが、ケーブル管理フィンガー取付ブラケット３５０は、例えば、リベットおよび溶接などの永久連結具を使用して、機器レール３００Ｂに永久的に連結されることも同様に企図される。別法として、機器レール３００Ｂおよびケーブル管理フィンガー取付ブラケット３６０は一体形成される。ケーブル管理フィンガー３６２は、ケーブル管理フィンガー取付ブラケット３６０の中にスナップ嵌合する。
【００２３】
図２８〜３１に示されたように、機器レール３００Ａは、サーバ、パッチパネル、およびスイッチなどの電子装置をサーバキャビネット１００内に取り付けるために取付開口３４０を含み、冷却された呼気および加熱された排気を分離するためにサーバキャビネット１００の開口領域を封止するために、通常、取付開口３４０を使用して機器レール３００Ａに取り付けられる水平ブランクパネル（図示せず）、および垂直パネルブランク３７０などのブランクパネルを受領するように構成される。
【００２４】
例えば、図２８〜３１に示されたように、機器レール３００Ａは、垂直ブランクパネル３７０を含む。図３０に示されたように、垂直ブランクパネル３７０は、例えば、ナットおよびボルトおよびネジなどの取外し可能な連結具を使用して、機器レール３００Ａに取外し可能に連結されるが、垂直ブランクパネル３７０は、例えば、リベットおよび溶接などの永久連結具を使用して、機器レール３００Ａに永久的に連結されることも同様に企図される。別法として、機器レール３００Ａおよび垂直ブランクパネル３７０は一体形成される。加えて、垂直ブランクパネル３７０は、垂直支柱２３０に取外し可能に連結され、キャビネットフレーム２００に、より具体的には、垂直支柱２３０にさらなる剛性を提供する。
【００２５】
図３２および３４に示されたように、フロントドア４００は、フロントドアパネル４１０を含み、フロントドアパネル４１０は、キャビネットフレーム２００に、より具体的には、フェースプレート２４０に、最終的には垂直支柱２３０に回転可能に連結され、閉位置（図３２）から開位置（図３４）に回転する。加えて、図３６および３７に示されたように、フロントドアパネル４１０は、キャビネットフレーム２００に取外し可能に連結され、速やかに容易にその設置および取外しをするために、バネ付きヒンジピン４２０を含む。
【００２６】
図３８および４０に示されたように、バックドア５００はバックドアパネル５１０を含み、バックドアパネル５１０は、キャビネットフレーム２００に、より具体的には、フェースプレート２４０に、最終的には垂直支柱２３０に回転可能に連結され、閉位置（図３８）から開位置（図４０）に回転する。加えて、図４２および４３に示されたように、バックドアパネル５１０は、キャビネットフレーム２００に取外し可能に連結され、開いているときに、バックドアパネル５１０の取外しを防止するためにフランジ５２０を含む。
【００２７】
図４４、４６、および５０に示されたように、サイドドア６００は、サイドドアパネル６１０Ａ、６１０Ｂを含み、サイドドアパネル６１０Ａ、６１０Ｂは、キャビネットフレーム２００に、より具体的には、垂直支柱２３０、ならびにトップキャップ７００に回転可能に連結され、閉位置（図４６）から開位置（図４６および５０）に回転する。加えて、図４８、４９、５１、および５２に示されたように、サイドドアパネル６１０Ａ、６１０Ｂは、キャビネットフレーム２００、ならびにトップキャップ７００に取外し可能に連結され、速やかに容易にその設置および取外しをするために、バネ付きヒンジピン６２０を含む。
【００２８】
図５３〜５５に示されたように、トップキャップ７００は、例えば、ナットおよびボルトおよびネジなどの取外し可能な連結具を使用して、キャビネットフレーム２００に、より具体的には、トップフレーム２５０Ａの前後梁２１０および左右梁２２０Ａならびに垂直支柱２３０に取外し可能に連結され、サーバキャビネット１００の側部の上に配置された、例えば、グロメット７２２およびグロメットカバー７２４と嵌合する、データケーブル開口７２０、より具体的には、ケーブル配線領域２８０、およびサーバキャビネット１００の背部の上に配置された、例えば、ノックアウト７３２と嵌合する電力ケーブル開口７３０を含む。
【００２９】
サーバキャビネット１００の幅が、例えば６００ｍｍ（図５６および５７）から７００ｍｍ（図５８および５９）および８００ｍｍ（図６０および６１）に増加されるにつれて、データケーブル開口７２０の幅は、例えば、ケーブル配線領域２８０の追加の幅を収容するために増加される。
【００３０】
本発明のある特定の実施形態では、ドア位置センサおよび環境センサ（例えば、温度、湿度など）などのセンサ（図示せず）は、例えば開口２２４、２４４内のキャビネットフレーム２００上に取り付けられる。
【００３１】
本発明のある特定の実施形態では、ＰａｎｄｕｉｔのＭｉｎｉ−Ｃｏｍ（登録商標）モジュラージャックなどのモジュラージャック（図示せず）は、ハンドル、キーパッド、読取機、およびセンサなどのドアに取り付けられた電子機器を速やかに容易に接続および離断するために、例えば開口２２４、２４４内に取り付けられる。
【００３２】
本発明を上記に概説した例示的実施形態に関連して説明したが、様々な代替形態、修正形態、変形形態、および／または改良形態は、公知であっても現在予期せぬことであっても、明らかになり得る。したがって、上記に説明したように本発明の例示的実施形態は、限定ではなく例示を意図する。本発明の精神および範囲から逸脱することなく、様々な変更がなされ得る。
【符号の説明】
【００３３】
１００  サーバキャビネット
２００  キャビネットフレーム
３００Ａ及び３００Ｂ  機器レール
４００  フロントドア
５００  バックドア
６００  サイドドア
７００  トップキャップ
【図１】
2015521805.tif 000003
【図２】
2015521805.tif 000004
【図３】
2015521805.tif 000005
【図４】
2015521805.tif 000006
【図５】
2015521805.tif 000007
【図６】
2015521805.tif 000008
【図７】
2015521805.tif 000009
【図８】
2015521805.tif 000010
【図９】
2015521805.tif 000011
【図１０】
2015521805.tif 000012
【図１１】
2015521805.tif 000013
【図１２】
2015521805.tif 000014
【図１３】
2015521805.tif 000015
【図１４】
2015521805.tif 000016
【図１５】
2015521805.tif 000017
【図１６】
2015521805.tif 000018
【図１７】
2015521805.tif 000019
【図１８】
2015521805.tif 000020
【図１９】
2015521805.tif 000021
【図２０】
2015521805.tif 000022
【図２１】
2015521805.tif 000023
【図２２】
2015521805.tif 000024
【図２３】
2015521805.tif 000025
【図２４】
2015521805.tif 000026
【図２５】
2015521805.tif 000027
【図２６】
2015521805.tif 000028
【図２７】
2015521805.tif 000029
【図２８】
2015521805.tif 000030
【図２９】
2015521805.tif 000031
【図３０】
2015521805.tif 000032
【図３１】
2015521805.tif 000033
【図３２】
2015521805.tif 000034
【図３３】
2015521805.tif 000035
【図３４】
2015521805.tif 000036
【図３５】
2015521805.tif 000037
【図３６】
2015521805.tif 000038
【図３７】
2015521805.tif 000039
【図３８】
2015521805.tif 000040
【図３９】
2015521805.tif 000041
【図４０】
2015521805.tif 000042
【図４１】
2015521805.tif 000043
【図４２】
2015521805.tif 000044
【図４３】
2015521805.tif 000045
【図４４】
2015521805.tif 000046
【図４５】
2015521805.tif 000047
【図４６】
2015521805.tif 000048
【図４７】
2015521805.tif 000049
【図４８】
2015521805.tif 000050
【図４９】
2015521805.tif 000051
【図５０】
2015521805.tif 000052
【図５１】
2015521805.tif 000053
【図５２】
2015521805.tif 000054
【図５３】
2015521805.tif 000055
【図５４】
2015521805.tif 000056
【図５５】
2015521805.tif 000057
【図５６】
2015521805.tif 000058
【図５７】
2015521805.tif 000059
【図５８】
2015521805.tif 000060
【図５９】
2015521805.tif 000061
【図６０】
2015521805.tif 000062
【図６１】
2015521805.tif 000063
【国際調査報告】
2015521805.tif 000064
2015521805.tif 000065